(57)【要約】【課題】限外ろ過膜または精密ろ過膜を含む膜ろ過装置用途に用いた場合に、調圧器の故障頻度が著しく低い空気配管ユニットの提供。【解決手段】限外ろ過膜または精密ろ過膜を含む膜ろ過装置用途の空気配管ユニットであって、高圧側調圧器１および低圧側調圧器２を並列して有し、分岐された一次配管１４を介して圧縮空気３を高圧側調圧器１および低圧側調圧器２に供給し、低圧側調圧器２から二次配管１５を介して膜モジュールに低圧空気５を供給できる、空気配管ユニット；膜ろ過装置；水処理装置。【選択図】図１
2020116483.tif 000002
【特許請求の範囲】
【請求項１】
限外ろ過膜または精密ろ過膜を含む膜ろ過装置用途の空気配管ユニットであって、
高圧側調圧器および低圧側調圧器を並列して有し、
分岐された一次配管を介して圧縮空気を前記高圧側調圧器および前記低圧側調圧器に供給し、
前記低圧側調圧器から二次配管を介して膜モジュールに低圧空気を供給できる、空気配管ユニット。
【請求項２】
系外の空気を圧縮して前記圧縮空気を得るコンプレッサを前記一次配管の上流に備える、請求項１に記載の空気配管ユニット。
【請求項３】
前記一次配管と前記コンプレッサの間にミストセパレータを備える、請求項２に記載の空気配管ユニット。
【請求項４】
前記一次配管と前記コンプレッサの間にエアフィルタおよびエアドライヤのうち少なくとも一方を備える、請求項２または３に記載の空気配管ユニット。
【請求項５】
前記二次配管に弁を備える、請求項１〜４のいずれか一項に記載の空気配管ユニット。
【請求項６】
前記膜モジュールの洗浄または計装用途である、請求項１〜５のいずれか一項に記載の空気配管ユニット。
【請求項７】
請求項１〜６のいずれか一項に記載の空気配管ユニットと、
膜モジュールとを備え、
前記低圧側調圧器の二次配管に前記膜モジュールが接続された、膜ろ過装置。
【請求項８】
被処理水を生物処理する生物処理槽と、
沈殿槽と、
請求項７に記載の膜ろ過装置をこの順で備える、水処理装置。
【発明の詳細な説明】
【技術分野】
【０００１】
本発明は、空気配管ユニット、膜ろ過装置および水処理装置に関する。
【背景技術】
【０００２】
近年、水資源のリサイクルが重要視されるようになり、放流排水の再処理のために限外ろ過膜（ＵＦ膜）または精密ろ過膜（ＭＦ膜）などでさらに高度処理して回収することが求められている。限外ろ過膜などによる膜ろ過の過程では、原水中の懸濁物質などがろ過膜の表面や細孔内に侵入することにより、経時的に透過流束の低下が生じるファウリング現象が発生する。膜ろ過を長期的に安定して継続するために、空気配管ユニットを膜ろ過装置に接続して定期的にろ過膜を空気により洗浄することなどにより、ファウリング現象を抑制する方法が知られている（特許文献１参照）。
【０００３】
特許文献１には、外圧濾過式の中空糸膜モジュールにより原水又は処理水を濾過する中空糸膜濾過装置であって、中空糸膜モジュールは、中空糸膜束と、中空糸膜束が収容される内部空間が形成されたハウジングと、内部空間に配置され、内部空間と管内空間とを連通させる複数の孔が形成された管部材と、を含み、管内空間に原水又は処理水及び気体を同時に供給するための気液供給手段を備えた、中空糸膜濾過装置が記載されている。
【先行技術文献】
【特許文献】
【０００４】
【特許文献１】特開２０１７−２１７５８１号公報
【発明の概要】
【発明が解決しようとする課題】
【０００５】
空気配管ユニットを膜ろ過装置に接続する場合、通常、高圧側調圧器で調整された高圧空気を制御盤や電磁弁の開閉に用い、低圧側調圧器で調整された低圧空気を膜モジュールの洗浄に用いる。
ここで、特許文献１に記載されるように、限外ろ過膜または精密ろ過膜を含む膜モジュールは、空気でろ液を押出すことによる逆洗や、空気を直接ろ過膜に接触させるバブリング洗浄（その他、空気と液体の気液洗浄）を行うため、低圧空気の供給量が非常に多い。そのため、空気配管ユニットを限外ろ過膜または精密ろ過膜を含む膜モジュール用途に用いた場合、高圧空気および低圧空気を使用するときのいずれも動作する高圧側調圧器が故障しやすいことがわかった。
【０００６】
本発明が解決しようとする課題は、限外ろ過膜または精密ろ過膜を含む膜ろ過装置用途に用いた場合に、調圧器の故障頻度が著しく低い空気配管ユニットを提供することである。
【課題を解決するための手段】
【０００７】
本発明者らが上記課題を解決するために鋭意検討した結果、従来の空気配管ユニットは、高圧側調圧器１と低圧側調圧器２を直列に配置してあり（図３参照）、低圧空気の供給量が非常に多い場合に低圧側調圧器２だけではなく高圧側調圧器１も作動してしまうため、高圧側調圧器１が故障しやすいことを見出した。
これに対し、高圧側調圧器および低圧側調圧器を並列して配置し、分岐された一次配管を介して圧縮空気をこれらの調圧器に供給する構造とすることにより、限外ろ過膜または精密ろ過膜を含む膜ろ過装置用途の空気配管ユニットに特有の上記課題を解決できることがわかった。
【０００８】
上記課題を解決するための具体的な手段である本発明の構成と、本発明の好ましい構成を以下に記載する。
［１］  限外ろ過膜または精密ろ過膜を含む膜ろ過装置用途の空気配管ユニットであって、
高圧側調圧器および低圧側調圧器を並列して有し、
分岐された一次配管を介して圧縮空気を高圧側調圧器および低圧側調圧器に供給し、
低圧側調圧器から二次配管を介して膜モジュールに低圧空気を供給できる、空気配管ユニット。
［２］  系外の空気を圧縮して圧縮空気を得るコンプレッサを一次配管の上流に備える［１］に記載の空気配管ユニット。
［３］  一次配管とコンプレッサの間にミストセパレータを備える［２］に記載の空気配管ユニット。
［４］  一次配管とコンプレッサの間にエアフィルタおよびエアドライヤのうち少なくとも一方を備える［２］または［３］に記載の空気配管ユニット。
［５］  二次配管に弁を備える［１］〜［４］のいずれか一項に記載の空気配管ユニット。
［６］  膜モジュールの洗浄または計装用途である［１］〜［５］のいずれか一項に記載の空気配管ユニット。
［７］  ［１］〜［６］のいずれか一項に記載の空気配管ユニットと、
膜モジュールとを備え、
低圧側調圧器の二次配管に膜モジュールが接続された、膜ろ過装置。
［８］  被処理水を生物処理する生物処理槽と、
沈殿槽と、
［７］に記載の膜ろ過装置をこの順で備える、水処理装置。
【発明の効果】
【０００９】
本発明によれば、限外ろ過膜または精密ろ過膜を含む膜ろ過装置用途に用いた場合に、調圧器の故障頻度が著しく低い空気配管ユニットを提供できる。
【図面の簡単な説明】
【００１０】
【図１】図１は、本発明の空気配管ユニットの一例の概略図である。
【図２】図２は、本発明の空気配管ユニットの他の一例の概略図である。
【図３】図３は、高圧側調圧器と低圧側調圧器を直列に配置してある、従来の空気配管ユニットの一例の概略図である。
【発明を実施するための形態】
【００１１】
以下において、本発明について詳細に説明する。以下に記載する構成要件の説明は、代表的な実施形態や具体例に基づいてなされることがあるが、本発明はそのような実施形態に限定されるものではない。なお、本明細書において「〜」を用いて表される数値範囲は「〜」前後に記載される数値を下限値および上限値として含む範囲を意味する。
【００１２】
［空気配管ユニット］
本発明の空気配管ユニットは、限外ろ過膜または精密ろ過膜を含む膜ろ過装置用途の空気配管ユニットであって、高圧側調圧器および低圧側調圧器を並列して有し、分岐された一次配管を介して圧縮空気を高圧側調圧器および低圧側調圧器に供給し、低圧側調圧器から二次配管を介して膜モジュールに低圧空気を供給できる。
本発明によれば、限外ろ過膜または精密ろ過膜を含む膜ろ過装置用途に用いた場合に、調圧器の故障頻度が著しく低い空気配管ユニットを提供できる。本発明によれば、部品点数をほとんど増やすことなく、調圧器の故障頻度が著しく低くでき、空気配管ユニットまたはその付属機器の長寿命化を実現できる。その結果、低コスト化を実現できる。
以下、本発明の空気配管ユニットの好ましい態様について説明する。
【００１３】
＜空気配管ユニットの全体的な構成＞
本発明の空気配管ユニットの全体的な構成の好ましい態様を、図面を用いて説明する。図１は、本発明の空気配管ユニットの一例の概略図である。図１の空気配管ユニットは、高圧側調圧器１および低圧側調圧器２を並列して有し、分岐された一次配管１４を介して圧縮空気３を高圧側調圧器１および低圧側調圧器２に供給し、低圧側調圧器２から二次配管１５を介して膜モジュール（不図示）に低圧空気５を供給できる。高圧側調圧器１から、配管（不図示）を介して制御盤（不図示）や電磁弁ボックス（不図示）に高圧空気４を供給できる。
図１の空気配管ユニットは、系外の空気を圧縮して圧縮空気３を得るコンプレッサ１１を一次配管１４の上流に備える。さらに、図１の空気配管ユニットは、一次配管１４とコンプレッサ１１の間にミストセパレータ１２を備える。図１の空気配管ユニットは、二次配管１５に流量計２１、自動弁３１、調整弁３２を備える。
【００１４】
図２は、本発明の空気配管ユニットの他の一例の概略図である。図２の空気配管ユニットは、一次配管１４とコンプレッサ１１の間にミストセパレータ１２およびエアフィルタ１３を備える。ミストセパレータ１２およびエアフィルタ１３を併設する代わりに、ミストセパレータ１２およびエアドライヤ（不図示）を用いてもよい。
図２に示すとおり、二次配管１５が分岐していてもよい。流量計２１の下流で分岐された二次配管１５は、それぞれの分岐された管に自動弁３１および調整弁３２を備える。図２の空気配管ユニットは膜モジュール（不図示）に第１の流量の低圧空気５Ａと第２の流量の低圧空気５Ｂを供給できる。
【００１５】
一方、図３は、高圧側調圧器と低圧側調圧器を直列に配置してある、従来の空気配管ユニットの一例の概略図である。図３の空気配管ユニットは、圧縮空気３を高圧側調圧器１および低圧側調圧器２に順に供給し、低圧側調圧器２から二次配管１５を介して膜モジュール（不図示）に低圧空気５を供給できる。高圧側調圧器１から、配管（不図示）を介して制御盤（不図示）や電磁弁ボックスに高圧空気を供給できる。しかし、図３の空気配管ユニットでは、低圧空気５Ａおよび５Ｂの供給量が非常に多い場合に低圧側調圧器２だけではなく高圧側調圧器１も作動してしまうため、高圧側調圧器１が故障しやすい。
以下、本発明の空気配管ユニットを構成する各部分の好ましい態様を説明する。
【００１６】
＜コンプレッサ＞
本発明の空気配管ユニットは、系外の空気を圧縮して圧縮空気を得るコンプレッサ（エアコンプレッサ）を一次配管の上流に備えることが好ましい。ただし、コンプレッサの代わりに圧縮空気を供給できるボンベなどを用いてもよい。空気配管ユニットは、コンプレッサで得られた圧縮空気を貯留するための、弁を有する任意のタンクを有していてもよい。コンプレッサにより系外の空気を吸い込み、圧縮する際に生じる凝集水は、圧縮空気を貯留するタンクに回収するなどして、系外に排出することが好ましい。
コンプレッサで得られる圧縮空気の圧力は特に制限はないが、例えば０．３〜１．５ＭＰａであることが好ましく、０．５〜１．０ＭＰａであることがより好ましい。
【００１７】
＜ミストセパレータ、エアフィルタおよびエアドライヤ＞
本発明の空気配管ユニットは、一次配管とコンプレッサの間にミストセパレータを備えることが好ましい。ミストセパレータにより、圧縮空気を除湿して、系外に水分を排出することが好ましい。
本発明の空気配管ユニットは、一次配管とコンプレッサの間にエアフィルタおよびエアドライヤのうち少なくとも一方を備えることが好ましい。エアフィルタおよびエアドライヤにより、圧縮空気を乾燥することが好ましい。
空気配管ユニットは、ミストセパレータ、エアフィルタおよびエアドライヤのうち少なくとも１つを通過した圧縮空気を貯留するための、弁を有する任意のタンクを有していてもよい。
【００１８】
＜一次配管＞
本発明の空気配管ユニットは、分岐された一次配管を有する。一次配管の上流側の端部は分岐されずにコンプレッサ側の配管に接続されることが好ましい。一次配管の下流側の端部は、分岐されて、並列に配置された高圧側調圧器と低圧側調圧器にそれぞれ接続されることが好ましい。
一次配管を分岐させる方法としては特に制限はない。例えば、調圧器の直前で配管を分岐させることで圧力損失を大きくし、加えて分岐後配管の曲げ個数が多い側を低圧側とすることにより、高圧側調圧器および低圧側調圧器を並列配置させした場合に、調圧器の故障頻度を低くしやすい。
【００１９】
＜高圧側調圧器および低圧側調圧器＞
空気配管ユニットは、高圧側調圧器および低圧側調圧器を並列して有する。
高圧側調圧器および低圧側調圧器を並列配置させる方法としては、特に制限はない。例えば、限外ろ過膜または精密ろ過膜を含む膜ユニットの側面に上下に分岐することにより、高圧側調圧器および低圧側調圧器を並列配置させやすくできる。
高圧側調圧器で調圧された高圧空気の圧力は特に制限はなく、高圧空気で作動させる機器に応じて調節することができる。限外ろ過膜または精密ろ過膜を含む膜モジュールの制御盤や電磁弁などの計装用途では、高圧空気の圧力は０．２〜１．０ＭＰａであることが好ましく、０．３〜０．５ＭＰａであることがより好ましい。
低圧側調圧器で調圧された低圧空気の圧力は特に制限はなく、低圧空気で作動させる機器に応じて調節することができる。限外ろ過膜または精密ろ過膜を含む膜モジュールの逆洗やバブリング洗浄などの洗浄用途では、低圧空気の圧力は０．０５ＭＰａ以上０．３ＭＰａ未満であることが好ましく、０．１〜０．２ＭＰａであることがより好ましい。
高圧側調圧器および低圧側調圧器は、それぞれの下流の空気の圧力を検知する手段や、下流の空気が所定の圧力以下となった場合に高圧空気または低圧空気の供給を停止する弁や圧力スイッチを有していてもよい。
【００２０】
＜二次配管＞
本発明の空気配管ユニットは、低圧側調圧器から二次配管を介して膜モジュールに低圧空気を供給できる。
空気配管ユニットは、膜モジュールに所定の流量の低圧空気を供給できるようにする観点から、二次配管に流量計を備えることが好ましい。
空気配管ユニットは、二次配管に弁を備えることが好ましい。二次配管に備えられる弁としては自動弁および調整弁などを挙げることができる。二次配管は自動弁および調整弁をこの順で有することが好ましい。自動弁は、弁の駆動を空気で行い、単位時間あたりの動作回数を設定できることが好ましい。例えば、自動弁の動作回数は１分間に１〜６０往復であることが好ましく、２〜３０往復であることがより好ましく、５〜２０往復であることが特に好ましい。調整弁は、ボール弁であることが好ましい。
【００２１】
＜用途＞
本発明の空気配管ユニットは、限外ろ過膜または精密ろ過膜を含む膜ろ過装置用途である。膜ろ過装置の膜モジュールに含まれる精密ろ過膜または限外ろ過膜は、限外ろ過膜であることが好ましい。
精密ろ過膜の開口径は特に制限はなく、０．１〜０．５μｍであることが好ましく、０．１〜０．２μｍであることがより好ましい。限外ろ過膜の開口径は特に制限はなく、０．０１〜０．０５μｍであることが好ましく、０．０１〜０．０２μｍであることがより好ましい。
精密ろ過膜または限外ろ過膜の形状は特に制限はなく、例えば中空糸膜、スパイラル膜、プリーツ膜、平膜などを挙げることができる。精密ろ過膜または限外ろ過膜が、中空糸膜であることが好ましい。
【００２２】
本発明の空気配管ユニットは、膜モジュールの洗浄または計装用途であることが好ましい。特に、単一空気源より、膜モジュールの洗浄用途（低圧空気）および計装用途（高圧空気）の両方に圧縮空気を提供する場合に好ましく用いられる。
空気配管ユニットは、膜ろ過装置が水処理装置用途である場合、特に洗浄用途としてバブリング洗浄を間欠的に行う場合に好ましく用いられる。この場合、特にコンプレッサの稼働頻度が高くなるため、高圧側調圧器と低圧側調圧器を直列に配置してある従来の空気配管ユニットでは故障頻度が高くなっていたためである。
空気配管ユニットは、水処理装置を高温多湿環境下で用いる場合に、好ましく用いられる。この場合、特に調圧器内に結露水が侵入しやすくなり、調圧器の故障頻度が高まるためである。高温多湿環境の場所としては、例えば熱帯地方を挙げることができ、具体的にはタイ王国やミャンマー連邦共和国などが挙げられる。
【００２３】
［膜ろ過装置］
本発明の膜ろ過装置は、本発明の空気配管ユニットと、膜モジュールとを備え、低圧側調圧器の二次配管に膜モジュールが接続された、膜ろ過装置である。
膜ろ過装置の膜モジュールでは、任意の物質を分離することができる。本発明では、膜ろ過装置の膜モジュールが被処理水を固液分離できることが好ましい。
【００２４】
［水処理装置］
本発明の膜ろ過装置は、水処理装置に用いることができる。水処理装置としては特に制限はない。
【００２５】
＜被処理水＞
被処理水として、原水をそのまま用いてもよく、必要に応じて適当な前処理をした水を用いてもよい。前処理としては、有機物を十分に除去する観点から、生物処理が好ましい。原水を生物処理して得られた生物処理水としては、原水を活性汚泥処理して得られた活性汚泥処理水や原水を生物膜処理して得られた生物膜処理水が挙げられる。返送汚泥の管理が不要になる観点から、生物膜処理水であることが好ましい。
【００２６】
＜他の装置＞
本発明の膜ろ過装置は、被処理水を生物処理する生物処理槽と、沈殿槽を用いる水処理装置に特に好ましく用いることができる。この場合における本発明の水処理装置は、被処理水を生物処理する生物処理槽と、沈殿槽と、本発明の膜ろ過装置をこの順で備える。水処理装置では、生物処理槽が生物膜処理槽であることが好ましい。沈殿槽が無機凝集剤を被処理水に添加する凝集沈殿槽であることが好ましい。
【００２７】
＜処理水＞
限外ろ過膜または精密ろ過膜であるろ過膜を通過した処理水は、浮遊物質（ｓｕｓｐｅｎｄｅｄ  ｓｏｌｉｄｓ；ＳＳ）が十分に除去されるため、そのまま工業用水や生活用水として利用したり、逆浸透膜に供給してさらに高度処理したりすることができる。
【実施例】
【００２８】
以下に実施例と比較例を挙げて本発明をさらに具体的に説明する。以下の実施例に示す材料、使用量、割合、処理内容、処理手順等は、本発明の趣旨を逸脱しない限り適宜変更することができる。従って、本発明の範囲は以下に示す具体例により限定的に解釈されるべきものではない。
【００２９】
［実施例１］
コンプレッサ、ミストセパレータ、エアフィルタ、分岐された一次配管、ならびに、並列に配置された高圧側調圧器１および低圧側調圧器２を備える空気配管ユニットを製造し、実施例１の空気配管ユニットとした。実施例１の空気配管ユニットを、２基のＵＦ膜モジュールに接続し、実施例１の膜ろ過装置とした。高圧側調圧器および低圧側調圧器は、１基のＵＦ膜モジュールに対してそれぞれ１セットずつ搭載した。コンプレッサで得られた圧縮空気（圧力０．９ＭＰａ）は、ミストセパレータ、エアフィルタを通った後、高圧側調圧器１によって計装空気に要する使用圧（設定圧力０．５ＭＰａ）の高圧空気に調整され、制御盤、電磁弁ボックス等に供給した。制御盤は、電磁弁の開閉を行い、水処理の際に膜ろ過を行う流路と、逆洗やバブリングによる洗浄を行う場合の流路などを切り替える制御をするものである。また、低圧側調圧器２によって逆洗空気に要する使用圧（設定圧力０．２ＭＰａ）の低圧空気に調整され、流量計、自動弁、調整弁、散気盤等に供給した。散気盤は、逆洗およびバブリング用の空気を制御するものである。
実施例１の水処理装置を、高温多湿環境下の熱帯地方（タイ王国のサムットサーコーン県）に設置して、空気配管ユニットを作動させて水処理を行った。
【００３０】
［比較例１］
分岐された一次配管を用いず、コンプレッサ、ミストセパレータ、エアフィルタ、高圧側調圧器１および低圧側調圧器２を直列に備える空気配管ユニットを比較例１の空気配管ユニットとした。比較例１の空気配管ユニットをＵＦ膜モジュールに接続し、比較例１の膜ろ過装置とした。さらに、被処理水を生物処理する生物処理槽と、凝集沈殿槽を膜ろ過装置の上流に接続し、比較例１の水処理装置とした。比較例１の水処理装置を、高温多湿環境下の熱帯地方（タイ王国のサムットサーコーン県）に設置して、空気配管ユニットを作動させて水処理を行った。
【００３１】
［比較例２］
比較例１の水処理装置を、亜寒帯地方（日本国の北海道）に設置した以外は比較例１と同様にして、空気配管ユニットを作動させて水処理を行った。
【００３２】
［評価］
＜計装空気＞
使用したＵＦ膜モジュールは、弁の駆動を空気で行い、動作回数が１分間に１０往復である自動弁を備える。弁の所要流量を１．０ＮＬ／分、自動弁を計１０台、設置膜モジュールを２基とした場合、１日あたりの自動弁の必要空気量は、圧力０．５ＭＰａで２８，５６２ＮＬ／日であった。また、制御盤の空気消費量は、圧力０．５ＭＰａで７，２００ＮＬ／日であった。
なお、ＮＬ／分（ノルマルリットル毎分）は、０℃、１ａｔｍ、相対湿度０％の標準状態で測定した空気量を意味する。
【００３３】
＜逆洗空気＞
ＵＦ膜モジュールの逆洗およびろ過膜のバブリング洗浄は、空気のみで行った。ここで、逆洗回数を１時間に３回、バブリング時間を１回あたり１分間とした場合、逆洗空気の必要量は、圧力０．１ＭＰａで１，００７，５９７ＮＬ／日であった。
膜モジュールは、１回／日の頻度で薬品洗浄（ＣＥＢ）を行った。ここで、逆洗回数を１日に１回、バブリング時間を６分間とした場合、ＣＥＢの空気必要量は、圧力０．１ＭＰａで５５，９７８ＮＬ／日であった。
なお、弁の駆動に要する空気の圧力は、逆洗およびＣＥＢに要する空気の圧力よりも高い圧力（０．５ＭＰａ）が必要であった。
【００３４】
＜高圧側調圧器１の通過空気量＞
高圧側調圧器１と低圧側調圧器２を並列に配置した実施例１の場合、高圧側調圧器１の通過空気量は、計装空気に必要な量だけであって、１モジュールあたり実施例１の高温多湿環境下の熱帯地方では６，５２７ｍ３／年であった。
高圧側調圧器１と低圧側調圧器２を直列に配置した場合、高圧側調圧器１の通過空気量は、計装空気と逆洗空気に必要な量の合計である。逆洗空気ではバブリングに要する０．１ＭＰａに対して５倍の０．５ＭＰａに空気を圧縮しているため、空気の体積が１／５に収縮する。これらのことから、１モジュールあたり比較例１の高温多湿環境下の熱帯地方では４５，３４７ｍ３／年、比較例２の亜寒帯地方では３７，２７２ｍ３／年であった。
【００３５】
＜低圧側調圧器２の通過空気量＞
逆洗空気は、直列の場合に０．５ＭＰａで圧縮されていた空気が０．２ＭＰａに減圧され、空気の体積が５／２に膨張する。低圧側調圧器２の通過空気量は、１モジュールあたり高温多湿環境下の熱帯地方では実施例１の並列および比較例１の直列のいずれとも９７，０５１ｍ３／年、亜寒帯地方では比較例２の直列では７９，７６８ｍ３／年であった。
【００３６】
＜調圧器の故障頻度＞
高圧側調圧器１と低圧側調圧器２を並列に配置した実施例１の場合、高圧側調圧器１に通過する空気量は非常に少なく、高圧側調圧器の故障頻度は、高温多湿環境下の熱帯地方でも０回／年であった。
一方、高圧側調圧器１と低圧側調圧器２を直列に配置した比較例１の高温多湿環境下の熱帯地方の場合、高圧側調圧器１に通過する空気量は著しく多くなり、高圧側調圧器の故障頻度は３回／年であった。
高圧側調圧器１と低圧側調圧器２を直列に配置した比較例２の亜寒帯の場合、高圧側調圧器１に通過する空気量は著しく多くなり、高圧側調圧器の故障頻度は１回／年であった。
【００３７】
【表１】
2020116483.tif 000003
【００３８】
上記表１より、本発明の空気配管ユニットは、限外ろ過膜または精密ろ過膜を含む膜モジュール用途に用いた場合に、調圧器の故障頻度が著しく低いことがわかった。その理由は、低圧側調圧器２より高い圧力に晒されている高圧側調圧器１の通過空気量を顕著に少なくできたためと考えられる。特に、高温多湿環境下の熱帯地方で空気配管ユニットを用いる場合であっても、調圧器の故障頻度が著しく低いことがわかった。
一方、高圧側調圧器１と低圧側調圧器２を直列に配置した比較例１および２より、亜寒帯で空気配管ユニットを用いる場合であっても調圧器の故障頻度が高く、高温多湿環境下の熱帯地方で用いる場合はより調圧器の故障頻度が高くなることがわかった。高温多湿環境下では、ミストセパレータまたはエアフィルタを設置しても調圧器内に結露水が侵入し、故障頻度が高まったためと予想される。
【００３９】
［実施例２］
エアフィルタの代わりにエアドライヤを用いた以外は実施例１と同様にして、実施例２の空気配管ユニット、膜ろ過装置および水処理装置を製造した。実施例２の水処理装置を用いた以外は実施例１と同様にして、空気配管ユニットを作動させて水処理を行った。
その結果、実施例１と同等の評価結果が得られた。
【符号の説明】
【００４０】
１      高圧側調圧器
２      低圧側調圧器
３      圧縮空気
４      高圧空気
５、５Ａ、５Ｂ      低圧空気
１１    コンプレッサ
１２    ミストセパレータ
１３    エアフィルタ
１４    一次配管
１５    二次配管
２１    流量計
３１    自動弁
３２    調整弁
【図１】
2020116483.tif 000004
【図２】
2020116483.tif 000005
【図３】
2020116483.tif 000006